(57)【要約】【課題】相手のコネクタハウジングに対する離脱操作が、コネクタカバーにより位置規制されている電線によって妨げられることがなく、相手のコネクタハウジングに対する離脱が容易に行えるカバー付きコネクタを提供すること。【解決手段】コネクタハウジング２０の後端２０ａに結合されてコネクタハウジング２０の後端２０ａから導出する電線３０の導出方向を規制するコネクタカバー４０における電線案内壁部４２には、当該電線案内壁部４２に対してコネクタハウジング２０上のロックアーム２２から離反する方向に規定以上の曲げ荷重が作用したときに、電線案内壁部４２の形状を通常の電線支持形状に対してロックアーム２２から離反する方向に所定距離だけ撓み変形した電線退避形状に変形させる形状変形手段４２１を備える。【選択図】図８
2013110023.tif 000002
【特許請求の範囲】
【請求項１】
相手コネクタに嵌合接続されるコネクタハウジングと、該コネクタハウジングの後端に結合されて前記コネクタハウジングの後端から導出する電線の導出方向を規制するコネクタカバーと、を備え、
前記コネクタハウジングは、複数の端子挿入孔を有するハウジング本体と、該ハウジング本体の一側面に突設されて相手コネクタの係合手段と係合することで前記ハウジング本体を相手コネクタに結合させるロックアームと、該ロックアームの端部に形成されて該ロックアームと相手コネクタの係合手段との係合を解除するときに操作されるロック解除用押下部と、を備え、
前記コネクタカバーは、前記コネクタハウジングの後端に結合されるハウジング固定部と、当該ハウジング固定部の後端から前記ハウジング本体における電線の導出方向と直交する方向に延出して設けられて、前記ハウジング本体から導出する電線を前記ハウジング本体からの導出方向と直交する方向に方向変換して導出させる電線案内壁部と、を備えるカバー付きコネクタであって、
前記コネクタカバーにおける電線案内壁部には、当該電線案内壁部に対して前記ロックアームから離反する方向に規定以上の曲げ荷重が作用したときに、前記電線案内壁部の形状を通常の電線支持形状に対して前記ロックアームから離反する方向に所定距離だけ撓み変形した電線退避形状に変形させる形状変形手段を備えたことを特徴とするカバー付きコネクタ。
【請求項２】
前記形状変形手段は、前記電線案内壁部を横断する断面Ｖ字状の切り欠き溝で、前記電線案内壁部が所定の電線退避形状まで撓み変形したときに、前記切り欠き溝の側面同士が当接してそれ以上の撓み変形が規制されるように、前記切り欠き溝の各側面の傾斜角度を設定したことを特徴とする請求項１に記載のカバー付きコネクタ。
【発明の詳細な説明】
【技術分野】
【０００１】
本発明は、相手コネクタに嵌合接続されるコネクタハウジングと、該コネクタハウジングの後端に嵌合装着されて前記コネクタハウジングの後端から導出する電線の導出方向を規制するコネクタカバーと、を備えるカバー付きコネクタに関する。
【背景技術】
【０００２】
図１１及び図１２は、下記特許文献１に開示されたカバー付きコネクタを示している。
このカバー付きコネクタ１００は、相手コネクタに嵌合接続されるコネクタハウジング１１０と、該コネクタハウジング１１０の後端に嵌合装着されてコネクタハウジング１１０の後端から導出する電線の導出方向を規制するコネクタカバー１２０と、を備えている。
【０００３】
コネクタハウジング１１０は、複数の端子挿入孔を有するハウジング本体１１１と、該ハウジング本体１１１の一側面である上壁面１１１ａに突設されたロックアーム１１２と、該ロックアーム１１２の端部に形成されたロック解除用押下部１１３と、ハウジング本体１１１の後端１１１ｂ側の両側壁に備えられたカバー結合手段１１４と、を備える。
【０００４】
コネクタハウジング１１０は、収容する端子金具に接続された電線が、ハウジング本体１１１の後端１１１ｂから矢印Ｘ１で示す方向に導出する。
【０００５】
ロックアーム１１２は、ハウジング本体１１１の前端側から立ち上がって後方側に延びたアーム本体１１２ａの中間部に相手コネクタとの係合部（不図示）を形成したもので、ハウジング本体１１１を相手コネクタに嵌合接続させた際に相手コネクタの係合手段が前記係合部に係合することで、ハウジング本体１１１を相手コネクタに結合させる。
【０００６】
ロック解除用押下部１１３は、ロックアーム１１２と相手コネクタの係合手段との係合を解除するときに押下操作される。該ロック解除用押下部１１３を押下操作することで、ロックアーム１１２がロック解除方向（上壁面１１１ａ側）に撓んで、ロックアーム１１２と相手コネクタの係合手段との係合が解除される。
【０００７】
カバー結合手段１１４は、カバー案内リブ１１６と、カバー係止部１１７と、から構成されている。
【０００８】
カバー案内リブ１１６は、ハウジング本体１１１の後端１１１ｂに対するコネクタカバー１２０の嵌合装着方向（図１１の矢印Ｘ１方向とは、逆方向）に沿って延在するリブ状に、後端１１１ｂ側の両外側面１１１ｃに形成されている。このカバー案内リブ１１６は、コネクタカバー１２０を後端１１１ｂに嵌合装着する際に、コネクタカバー１２０を嵌合方向に誘導する。
【０００９】
カバー係止部１１７は、後端１１１ｂに対するコネクタカバー１２０の嵌合装着が完了したときにコネクタカバー１２０と係合して、コネクタカバー１２０を固定する。
【００１０】
コネクタカバー１２０は、コネクタハウジング１１０の後端に嵌合装着されるハウジング固定部１２１と、該ハウジング固定部１２１の後端に一体形成された電線案内壁部１２２と、を備える
【００１１】
ハウジング固定部１２１は、ハウジング本体１１１の後端１１１ｂから導出する電線を収容する筒状又は樋状をなしている。このハウジング固定部１２１は、コネクタハウジング１１０の後端１１１ｂの両側面に被さる両側壁部１２１ａに、リブ係合溝１２４と、ハウジング係合部１２５と、を備えている。
【００１２】
リブ係合溝１２４は、カバー案内リブ１１６が挿入されることで、コネクタハウジング１１０に対するコネクタカバー１２０の嵌合装着時におけるコネクタカバー１２０の移動方向を規制する。
【００１３】
ハウジング係合部１２５は、コネクタカバー１２０がコネクタハウジング１１０に対して正規の嵌合完了位置に到達したときに、カバー係止部１１７と係合することでコネクタカバー１２０をハウジング本体１１１の後端１１１ｂに固定する突起である。
【００１４】
ハウジング固定部１２１には、図１１に示すように、端子押し込み突片１２６が、装備されている。
【００１５】
端子押し込み突片１２６は、コネクタカバー１２０のハウジング本体１１１への嵌合に伴ってハウジング本体１１１の端子挿入孔に挿入されて、前記端子挿入孔内の中途挿入状態の端子金具を正規の挿入完了位置に押し込む。
【００１６】
電線案内壁部１２２は、当該ハウジング固定部１２１の後端からハウジング本体１１１における電線の導出方向と直交する方向（図１１では、矢印Ｙ１方向）に延出して設けられている。この電線案内壁部１２２は、ハウジング本体１１１から導出する電線をハウジング本体１１１からの導出方向と直交する方向に方向変換して導出させる。
【００１７】
特許文献１における電線案内壁部１２２は、電線の導出方向（矢印Ｙ１方向）と直交する方向には変形し難い剛構造に形成されている。
【先行技術文献】
【特許文献】
【００１８】
【特許文献１】特開２０００−３４８８１０号公報
【発明の概要】
【発明が解決しようとする課題】
【００１９】
ところで、コネクタハウジング１１０が接続する相手コネクタ側の環境によっては、コネクタハウジング１１０から導出する電線を、図１１とは逆に、コネクタハウジング１１０の後端から垂直上方（図１１では、矢印Ｙ２方向）に導出させることが要求される場合がある。
【００２０】
従来では、そのような場合には、ハウジング固定部１２１の後端から延出する電線案内壁部１２２が図１１に示した例とは逆に上方に延出するように改造したコネクタカバーを用意して、対応する。
【００２１】
ところが、コネクタハウジング１１０から導出する電線を図１１とは逆にコネクタハウジング１１０の後端から垂直上方に導出させた場合、導出する電線は、ロックアーム１１２の後方を横断することになり、特許文献１におけるコネクタカバーでは、電線の導出方向を規制している電線案内壁部１２２が剛構造のため、ロック解除用押下部１１３を操作する際に、ロック解除用押下部１１３の後方を横断している電線が操作の邪魔になり、相手のコネクタハウジングに対するカバー付きコネクタ１００の離脱操作が困難になるという問題が生じた。
【００２２】
そこで、本発明の目的は、上記課題を解消することに係り、相手のコネクタハウジングに対する離脱操作が、コネクタカバーにより位置規制されている電線によって妨げられることがなく、相手のコネクタハウジングに対する離脱が容易に行えるカバー付きコネクタを提供することにある。
【課題を解決するための手段】
【００２３】
本発明の前述した目的は、下記の構成により達成される。
（１）相手コネクタに嵌合接続されるコネクタハウジングと、該コネクタハウジングの後端に結合されて前記コネクタハウジングの後端から導出する電線の導出方向を規制するコネクタカバーと、を備え、
前記コネクタハウジングは、複数の端子挿入孔を有するハウジング本体と、該ハウジング本体の一側面に突設されて相手コネクタの係合手段と係合することで前記ハウジング本体を相手コネクタに結合させるロックアームと、該ロックアームの端部に形成されて該ロックアームと相手コネクタの係合手段との係合を解除するときに操作されるロック解除用押下部と、を備え、
前記コネクタカバーは、前記コネクタハウジングの後端に結合されるハウジング固定部と、当該ハウジング固定部の後端から前記ハウジング本体における電線の導出方向と直交する方向に延出して設けられて、前記ハウジング本体から導出する電線を前記ハウジング本体からの導出方向と直交する方向に方向変換して導出させる電線案内壁部と、を備えるカバー付きコネクタであって、
前記コネクタカバーにおける電線案内壁部には、当該電線案内壁部に対して前記ロックアームから離反する方向に規定以上の曲げ荷重が作用したときに、前記電線案内壁部の形状を通常の電線支持形状に対して前記ロックアームから離反する方向に所定距離だけ撓み変形した電線退避形状に変形させる形状変形手段を備えたことを特徴とするカバー付きコネクタ。
【００２４】
（２）前記形状変形手段は、前記電線案内壁部を横断する断面Ｖ字状の切り欠き溝で、前記電線案内壁部が所定の電線退避形状まで撓み変形したときに、前記切り欠き溝の側面同士が当接してそれ以上の撓み変形が規制されるように、前記切り欠き溝の各側面の傾斜角度を設定したことを特徴とする上記（１）に記載のカバー付きコネクタ。
【００２５】
上記（１）の構成によれば、ハウジング本体から導出する電線をハウジング本体からの導出方向と直交する方向に方向変換して導出させるコネクタカバーの電線案内壁部には、形状変形手段が備えられている。そのため、電線案内壁部に対してコネクタハウジングのロックアームから離反する方向に規定以上の曲げ荷重を作用させることによって、電線案内壁部の形状を通常の電線支持形状に対してロックアームから離反する方向に所定距離だけ撓み変形した電線退避形状に変形させることができる。
【００２６】
従って、コネクタハウジングのロックアームの後方側を電線が横断するようにコネクタカバーが電線の導出方向を規制している場合でも、コネクタカバーの電線案内壁部を電線退避形状に変形させることで、電線案内壁部により位置規制されている電線をロックアームから離反させて、電線とロックアームとの間にロック解除用押下部の操作に必要充分な作業用スペースを確保して、相手のコネクタハウジングに対する離脱操作を容易にすることができる。
【００２７】
即ち、上記（１）の構成によれば、相手のコネクタハウジングに対する離脱操作が、コネクタカバーにより位置規制されている電線によって妨げられることがなく、相手のコネクタハウジングに対する離脱が容易に行える。
【００２８】
また、電線案内壁部に装備した形状変形手段は、落下等で衝撃が作用したときに、変形により衝撃を緩和する緩衝手段として機能するため、落下によるコネクタカバーの破損を抑止することも可能になる。
【００２９】
上記（２）の構成によれば、形状変形手段が断面Ｖ字状の切り欠き溝となっていて、更に、電線案内壁部が所定の電線退避形状まで撓み変形したときには、切り欠き溝の側面同士が当接してそれ以上の撓み変形が規制される。従って、電線案内壁部の変形により電線が過度に屈曲されることを防止して、過度の屈曲による電線の損傷を防止することもができる。
【発明の効果】
【００３０】
本発明によるカバー付きコネクタによれば、ハウジング本体からの電線の導出方向を規制するコネクタカバーの電線案内壁部は、形状変形手段が備えられていて、コネクタハウジングのロックアームから離反する方向に規定以上の曲げ荷重を作用させることによって、電線案内壁部の形状を通常の電線支持形状に対してロックアームから離反する方向に所定距離だけ撓み変形した電線退避形状に変形させることができる。
【００３１】
従って、コネクタハウジングのロックアームの後方側を電線が横断するようにコネクタカバーが電線の導出方向を規制している場合でも、コネクタカバーの電線案内壁部を電線退避形状に変形させることで、電線案内壁部により位置規制されている電線をロックアームから離反させて、電線とロックアームとの間の作業用スペースを拡張して、相手のコネクタハウジングに対する離脱操作を容易にすることができる。
【００３２】
即ち、本発明によるカバー付きコネクタによれば、相手のコネクタハウジングに対する離脱操作が、コネクタカバーにより位置規制されている電線によって妨げられることがなく、相手のコネクタハウジングに対する離脱が容易に行える。
【００３３】
また、電線案内壁部に装備した形状変形手段は、落下等で衝撃が作用したときに、変形により衝撃を緩和する緩衝手段として機能するため、落下によるコネクタカバーの破損を抑止することも可能になる。
【図面の簡単な説明】
【００３４】
【図１】本発明に係るカバー付きコネクタの一実施形態の分解斜視図である。
【図２】図１のコネクタカバーの側面図である。
【図３】図２に示したコネクタカバーの形状変形手段の動作説明図である。
【図４】図１のカバー付きコネクタの組立完了状態の斜視図である。
【図５】図４のＡ矢視図である。
【図６】図５のＢ−Ｂ断面図である。
【図７】図６のＣ部の拡大図である。
【図８】一実施形態の組立完了状態のカバー付きコネクタにおいて、コネクタハウジングから導出する電線と通常の電線支持形状にある電線案内壁部との位置関係を示す縦断面図である。
【図９】図８のカバー付きコネクタにおいて、通常の電線支持形状の電線案内壁部に電線が固定された状態を示す側面図である。
【図１０】一実施形態の組立完了状態のカバー付きコネクタにおいて、電線案内壁部を電線退避形状に変形させた状態の側面図である。
【図１１】従来のコネクタカバー１２０を備えたカバー付きコネクタの組立前の状態の側面図である。
【図１２】図１１に示したカバー付きコネクタの組立後の側面図である。
【発明を実施するための形態】
【００３５】
以下、本発明に係るカバー付きコネクタの好適な実施形態について、図面を参照して詳細に説明する。
【００３６】
図１〜図１０は本発明に係るカバー付きコネクタの一実施形態を示したもので、図１は一実施形態のカバー付きコネクタの分解斜視図、図２は図１のコネクタカバーの側面図、図３は図２に示したコネクタカバーの形状変形手段の動作説明図、図４は図１のカバー付きコネクタの組立状態の斜視図、図５は図４のＡ矢視図、図６は図５のＢ−Ｂ断面図で、図７は図６のＣ部の拡大図、図８は一実施形態のカバー付きコネクタにおいてコネクタハウジングから導出する電線と通常の電線支持形状にある電線案内壁部との位置関係を示す縦断面図、図９は一実施形態のカバー付きコネクタにおいて、通常の電線支持形状の電線案内壁部に電線が固定された状態を示す側面図、図１０は一実施形態のカバー付きコネクタにおいて、電線が固定された電線案内壁部が電線退避形状に変形した状態の側面図である。
【００３７】
この一実施形態のカバー付きコネクタ１は、相手コネクタに嵌合接続されるコネクタハウジング２０と、該コネクタハウジング２０の後端に結合されてコネクタハウジング２０の後端２０ａから導出する電線３０（図８参照）の導出方向を規制するコネクタカバー４０と、を備える。
【００３８】
コネクタハウジング２０は、複数の端子挿入孔２１１を有するハウジング本体２１と、該ハウジング本体２１の一側面であるハウジング上面２１ａに突設されたロックアーム２２と、該ロックアーム２２の端部に形成されたロック解除用押下部２３と、を備える。前述のコネクタハウジング２０の後端２０ａは、ハウジング本体２１の後端でもある。
【００３９】
ハウジング本体２１における複数の端子挿入孔２１１は、後端２０ａから前端に向かって、貫通形成されている。端子挿入孔２１１には、図８に示すように、電線３０の端部に圧着接続された端子金具３１が、挿入装着される。端子挿入孔２１１内には、図８に示すように、ランス２５が設けられている。ランス２５は、規定の嵌合完了位置まで挿入された端子金具３１を係止して、端子金具３１を抜け止めする。
【００４０】
ハウジング本体２１の後端２０ａ寄りの両外側面には、図１に示すように、カバー案内リブ２６と、カバー係止部２７と、が備えられている。
【００４１】
カバー案内リブ２６は、後端２０ａに対するコネクタカバー４０の嵌合装着方向（図１の矢印Ｘ２方向）に沿って延在するリブ状に、後端２０ａの側面に形成されている。このカバー案内リブ２６は、コネクタカバー４０をハウジング本体２１の後端２０ａに嵌合装着する際に、コネクタカバー４０を嵌合方向に誘導する。
【００４２】
カバー係止部２７は、後端２０ａに対するコネクタカバー４０の嵌合装着が完了したときにコネクタカバー４０と係合して、コネクタカバー４０を固定する。
【００４３】
ロックアーム２２は、後述の図８にも示すように、ハウジング本体２１におけるハウジング上面２１ａの前端寄りの位置から立ち上がってハウジング本体２１の後端２０ａ側に延出した片持ち梁状の可撓アーム２２ａの中間部に、係合用の凹み２２ｂを設けた構成である。
【００４４】
このロックアーム２２は、ハウジング本体２１を相手コネクタに嵌合装着した際に、凹み２２ｂに相手コネクタの係合手段が係合することで、ハウジング本体２１を相手コネクタに結合させる。
【００４５】
ロック解除用押下部２３は、ハウジング本体２１の後端２０ａ寄りに位置するロックアーム２２の端部に形成された押下部である。このロック解除用押下部２３は、ロックアーム２２と相手コネクタの係合手段との係合を解除するときに、図１の矢印Ｙ２方向に、押下操作される。ロック解除用押下部２３を図１の矢印Ｙ２方向に押下すると、ロックアーム２２が下方（ハウジング上面２１ａ側）に撓んで、相手コネクタの係合手段とロックアーム２２の凹み２２ｂとの係合を解除することができる。
【００４６】
コネクタカバー４０は、図２〜図４に示すように、ハウジング固定部４１と、このハウジング固定部４１の後端に一体形成された電線案内壁部４２と、を備えている。
【００４７】
ハウジング固定部４１は、コネクタハウジング２０の後端２０ａに嵌合装着することにより、後端２０ａに結合される部位である。このハウジング固定部４１は、ハウジング本体２１の後端２０ａの両側面及び下面の３壁面の上に嵌合する略コ字状断面の構造をなしている。本実施形態のハウジング固定部４１は、図１及び図２に示すように、その前端側に、端子押し込み突片４１１と、リブ係合溝４１２と、ハウジング係合部４１３と、を備えている。
【００４８】
端子押し込み突片４１１は、ハウジング固定部４１のコネクタハウジング２０への嵌合に伴って、ハウジング本体２１の端子挿入孔２１１に挿入されて、端子挿入孔２１１内の中途挿入状態の端子金具３１を正規の挿入完了位置に押し込む。
【００４９】
上記のリブ係合溝４１２とハウジング係合部４１３は、コネクタハウジング２０の後端２０ａの両側面に被さるハウジング固定部４１の両側壁部４１５に、形成されている。
【００５０】
リブ係合溝４１２は、図４に示すように、カバー案内リブ２６が挿入されることで、コネクタハウジング２０に対するハウジング固定部４１の嵌合装着時におけるハウジング固定部４１の移動方向を嵌合方向に規制する。
【００５１】
ハウジング係合部４１３は、図６及び図７に示すように、ハウジング固定部４１がコネクタハウジング２０に対して正規の嵌合完了位置に到達したときに、カバー係止部２７と係合することで、ハウジング固定部４１をコネクタハウジング２０の後端２０ａに固定する突起である。
【００５２】
電線案内壁部４２は、図２に示すように、前述のハウジング固定部４１の後端からハウジング本体２１における電線３０の導出方向（図２における矢印Ｘ３方向）と直交する方向（図２における矢印Ｙ３方向）に延出して設けられて、前記ハウジング本体２１から導出する電線３０をハウジング本体２１からの導出方向と直交する垂直上方向に方向変換して導出させる。
【００５３】
本実施形態における電線案内壁部４２は、当該電線案内壁部４２の先端側に対してロックアーム２２から離反する方向に図２に矢印Ｆで示すように規定以上の曲げ荷重Ｆが作用したときに、電線案内壁部４２の形状を図２に示した通常の電線支持形状Ｋ１に対して図３に示した電線退避形状Ｋ２に変形させる形状変形手段４２１を備えている。
【００５４】
前述の電線退避形状Ｋ２は、図３に示すように、電線案内壁部４２の先端側がロックアーム２２から離反する方向に所定距離Ｌだけ撓み変形した形状である。
【００５５】
本実施形態における形状変形手段４２１は、電線案内壁部４２を横断する断面Ｖ字状の切り欠き溝である。更に、この形状変形手段４２１は、図３に示すように電線案内壁部４２が所定の電線退避形状Ｋ２まで撓み変形したときに、切り欠き溝の一対の側面４２１ａ，４２１ｂ同士が当接してそれ以上の撓み変形が規制されるように、切り欠き溝の各側面４２１ａ，４２１ｂの傾斜角度を設定している。
【００５６】
本実施形態のカバー付きコネクタ１は、例えば、図８に示すようにハウジング本体２１の後端にコネクタカバー４０を結合させた組立状態で、相手コネクタに嵌合接続される。相手コネクタに嵌合接続されたカバー付きコネクタ１において、電線案内壁部４２から導出される電線３０は、図９に示すように、結束用のテープ５０等で電線案内壁部４２に締結されて、電線案内壁部４２に固定される。この時、電線案内壁部４２は、電線３０の導出方向を垂直上方に規制する通常の電線支持形状Ｋ１になっている。
【００５７】
相手コネクタからカバー付きコネクタ１を離脱させる際には、図２に示したように電線案内壁部４２の先端側にロックアーム２２から遠のく方向の曲げ荷重Ｆを作用させて、図１０に示すように、電線案内壁部４２が後傾状態となる電線退避形状Ｋ２に変形させる。
【００５８】
図１０に示すように、電線案内壁部４２を電線退避形状Ｋ２に変形させることで、電線３０とロック解除用押下部２３との間には、ロック解除用押下部２３の操作に必要充分な大きさの作業用スペースＰが確保される。
【００５９】
以上に説明した一実施形態のカバー付きコネクタ１の構成によれば、ハウジング本体２１から導出する電線３０をハウジング本体２１からの導出方向と直交する方向に方向変換して導出させるコネクタカバー４０の電線案内壁部４２には、形状変形手段４２１が備えられている。そのため、電線案内壁部４２に対してコネクタハウジング２０のロックアーム２２から離反する方向に規定以上の曲げ荷重Ｆを作用させることによって、電線案内壁部４２の形状を通常の電線支持形状Ｋ１に対してロックアーム２２から離反する方向に所定距離Ｌだけ撓み変形した電線退避形状Ｋ２に変形させることができる。
【００６０】
従って、図９に示したようにコネクタハウジング２０のロックアーム２２の後方側を電線３０が横断するようにコネクタカバー４０が電線３０の導出方向を規制している場合でも、図１０に示したようにコネクタカバー４０の電線案内壁部４２を電線退避形状Ｋ２に変形させることで、電線案内壁部４２により位置規制されている電線３０をロックアーム２２から離反させて、電線３０とロックアーム２２との間にロック解除用押下部２３の操作に必要充分な作業用スペースＰを確保して、相手のコネクタハウジング２０に対する離脱操作を容易にすることができる。
【００６１】
即ち、以上に説明した一実施形態のカバー付きコネクタ１の構成によれば、相手のコネクタハウジング２０に対する離脱操作が、コネクタカバー４０により位置規制されている電線３０によって妨げられることがなく、相手のコネクタハウジング２０に対する離脱が容易に行える。
【００６２】
また、電線案内壁部４２に装備した形状変形手段４２１は、落下等で衝撃が作用したときに、変形により衝撃を緩和する緩衝手段として機能するため、落下によるコネクタカバー４０の破損を抑止することも可能になる。
【００６３】
更に、以上に説明した一実施形態のカバー付きコネクタ１の構成によれば、形状変形手段４２１が図２に示したように断面Ｖ字状の切り欠き溝となっていて、更に、電線案内壁部４２が所定の電線退避形状Ｋ２まで撓み変形したときには、図３に示すように切り欠き溝の側面４２１ａ，４２１ｂ同士が当接してそれ以上の撓み変形が規制される。従って、電線案内壁部４２の変形により電線３０が過度に屈曲されることを防止して、過度の屈曲による電線３０の損傷を防止することもできる。
【００６４】
なお、本発明のカバー付きコネクタは、前述した実施形態に限定されるものでなく、適宜、変形、改良等が可能である。
【００６５】
例えば、コネクタカバーの電線案内壁部を、通常の電線支持形状Ｋ１から電線退避形状Ｋ２に変形させる形状変形手段４２１の具体的な構造は、上記実施形態に示した断面Ｖ字状の切り欠き溝に限らない。電線案内壁部が電線退避形状Ｋ２に変形したときに、電線案内壁部のそれ以上の撓みを規制することが可能な適宜形状に設計変更可能である。
【００６６】
また、形状変形手段４２１は、撓みを規制する機能を備えない単なる薄肉部分で構成するだけでもよい。
【符号の説明】
【００６７】
１  カバー付きコネクタ
２０  コネクタハウジング
２０ａ  後端
２１  ハウジング本体
２２  ロックアーム
２３  ロック解除用押下部
３０  電線
３１  端子金具
４０  コネクタカバー
４１  ハウジング固定部
４２  電線案内壁部
４２１  形状変形手段
【図１】
2013110023.tif 000003
【図２】
2013110023.tif 000004
【図３】
2013110023.tif 000005
【図４】
2013110023.tif 000006
【図５】
2013110023.tif 000007
【図６】
2013110023.tif 000008
【図７】
2013110023.tif 000009
【図８】
2013110023.tif 000010
【図９】
2013110023.tif 000011
【図１０】
2013110023.tif 000012
【図１１】
2013110023.tif 000013
【図１２】
2013110023.tif 000014